【手続補正書】
【提出日】平成20年3月5日(2008.3.5)
【手続補正１】
【補正対象書類名】特許請求の範囲
【補正対象項目名】全文
【補正方法】変更
【補正の内容】
【特許請求の範囲】
【請求項１】
少なくとも２つの宝飾品形成構成要素を含む宝飾品であって、
第１の宝飾品形成構成要素は、第１の磁化された部分と、別の磁性宝飾品形成構成要素の管状オス要素を磁気的に引き付けて受け入れるように関連付けられた管状メス要素と、を有する本体部材を含み、
第２の宝飾品形成構成要素は、磁化された部分と、第１の宝飾品形成構成要素の管状メス要素の磁化された部分に磁気的に引き付けられるように関連付けられた少なくとも１つの管状オス要素と、を有する本体部材を含み、
構成要素の磁化された部分は、管状オス要素を管状メス要素内に保持するのに十分な最小磁場強度と、オス要素とメス要素とを分離させるのに人の手の力によって打ち勝つことのできる最大磁場強度とを提供し、
第１の構成要素の本体部材は、宝飾品を形成するために第２のまたは別の宝飾品形成要素と磁気的に結合するように磁気的に応答する別の要素を含み、第１の宝飾品形成構成要素の管状メス要素は、本体部材の一端に配置され、第２の宝飾品形成構成要素のオス要素を受け入れるのに十分な深さを有するキャビティを形成する内部寸法の管状端部を有し、第２の宝飾品形成構成要素の管状オス要素は、第１の宝飾品形成構成要素のメス要素のキャビティの内部寸法より小さい外部寸法の前方端部を有し、それにより、管状オス要素の前方端部が、メス要素キャビティ内に異なる位置関係で受け入れられて、宝飾品が装着者に対して自己サイズ調節するのを可能にし、要素間の磁場強度は、使用者の手の力がオス要素の前方端部をメス要素のキャビティから引き抜くのを可能にし、
第１構成要素の別の要素は、メス要素から離れる方向に延び且つ本体部材の反対側端部に配置された管状オス要素であり、オス要素は、第２のまたは別の宝飾品形成構成要素の本体部材の磁気的に応答する管状メス要素に磁気的に引き付けられる前方端部を有する、
ことを特徴とする宝飾品。
【請求項２】
少なくとも２つの宝飾品形成構成要素を含む宝飾品であって、
第１の宝飾品形成構成要素は、第１の磁化された部分と、別の宝飾品形成構成要素の管状オス要素を磁気的に引き付けて受け入れるように関連付けられた管状メス要素と、を有する本体部材を含み、
第２の宝飾品形成構成要素は、磁化された部分と、第１の宝飾品形成構成要素の管状メス要素の磁化された部分に磁気的に引き付けられるように関連付けられた少なくとも１つの管状オス要素と、を有する本体部材を含み、
構成要素の磁化された部分は、オス要素をメス要素内に保持するのに十分な最小磁場強度と、オス要素とメス要素とを分離させるのに人の手の力によって打ち勝つことのできる最大磁場強度とを提供し、
第１の構成要素の本体部材は、宝飾品を形成するために第２のまたは別の宝飾品形成要素と磁気的に結合するように磁気的に応答する別の要素を含み、第１の宝飾品形成構成要素の管状メス要素は、本体部材の一端に配置され、第２の宝飾品形成構成要素の管状オス要素を受け入れるのに十分な深さを有するキャビティを形成する内部寸法の管状端部を有し、第２の宝飾品形成構成要素の管状オス要素は、第１の宝飾品形成構成要素の管状メス要素のキャビティの内部寸法より小さい外部寸法の前方端部を有し、それにより、オス要素の前方端部が、メス要素キャビティ内に異なる位置関係で受け入れられて、宝飾品が装着者に対して自己サイズ調節するのを可能にし、要素間の磁場強度は、使用者の手の力がオス要素の前方端部をメス要素のキャビティから引き抜くことを可能にし、
更に、第１の構成要素の本体部材は、管状であり、別の要素は、管状本体部材の反対側端部に配置され、第２のまたは別の宝飾品形成構成要素のオス要素を異なる位置関係でその中に受け入れるのに十分な深さを有するキャビティを形成する内部寸法の管状端部を有する別の管状メス要素である、
ことを特徴とする宝飾品。
【請求項３】
複数の宝飾品形成構成要素を含む宝飾品であって、
第１の複数の第１の宝飾品形成構成要素が、各々、第１の磁化された部分と、別の宝飾品形成構成要素の管状オス要素を磁気的に引き付け受け入れるように関連付けられた管状メス要素と、を有する本体部材を含み、
第２の複数の第２の宝飾品形成構成要素は、各々、磁化された部分と、第１の宝飾品構成要素の管状メス要素の磁化された部分に磁気的に引き付けられるように関連付けられた少なくとも１つの管状オス要素と、を有する本体部材を含み、
構成要素の磁化された部分は、管状オス要素を管状メス要素内に保持するのに十分な最小磁場強度と、オス要素とメス要素とを分離させるのに人の手の力によって打ち勝つことのできる最大磁場強度とを提供し、
各第１の構成要素の本体部材は、別の宝飾品形成構成要素の別の要素と磁気的に結合するために磁気的に応答する別の要素を含み、
各第１の宝飾品形成構成要素の別の要素は、閉鎖した、連続した配置を有する物品を形成するように第２の宝飾品構成要素の別の要素と磁気的に結合され、
第１の宝飾品形成構成要素の管状メス要素は、本体部材の一端に配置され、第２の宝飾品形成構成要素の管状オス要素を受け入れるのに十分な深さを有するキャビティを形成する内部寸法の管状端部を有し、第２の宝飾品形成構成要素の管状オス要素は、第１の宝飾品形成構成要素のメス要素のキャビティの内部寸法より小さい外部寸法の前方端部を有し、それにより、オス要素の前方端部が、メス要素キャビティ内に異なる位置関係で受け入れられて、宝飾品が装着者に対して自己サイズ調整するのを可能にし、要素間の磁場強度は、使用者の手の力がオス要素の前方端部をメス要素のキャビティから引き抜くのを可能にする、
ことを特徴とする宝飾品。
【請求項４】
請求項１から３の何れか１項に記載の複数の宝飾品形成構成要素を備える、リング、ブレスレット、アンクレット、チェーン、チョーカー、ネックレス、又は時計バンドの形態の宝飾品。
【請求項５】
少なくとも２つの第１の宝飾品形成構成要素と少なくとも２つの第２の宝飾品構成要素とを含む、４つから２００の間の宝飾品形成構成要素を含む、閉鎖したリングの形態の宝飾品であって、
各第１の宝飾品形成構成要素は、第１の磁化された部分と、別の宝飾品形成構成要素の管状オス要素を磁気的に引き付けて受け入れるように関連付けられた管状メス要素と、を有する本体部材を含み、
各第２の宝飾品形成構成要素は、磁化された部分と、第１の宝飾品形成構成要素の管状メス要素の磁化された部分に磁気的に引き付けられるように関連付けられた少なくとも１つの管状オス要素と、を有する本体部材を含み、
構成要素の磁化された部分は、管状オス要素を管状メス要素内に保持するのに十分な最小磁場強度と、オス要素とメス要素とを分離させるのに人の手の力によって打ち勝つことのできる最大磁場強度とを提供し、
各第１の構成要素の本体部材は、リングを形成するために第２のまたは別の宝飾品形成要素と磁気的に結合するように磁気的に応答する別の要素を含み、各第１の宝飾品形成構成要素の管状メス要素は、本体部材の一端に配置され、第２の宝飾品形成構成要素のオス要素を受け入れるのに十分な深さを有するキャビティを形成する内部寸法の管状端部を有し、第２の宝飾品形成構成要素の管状オス要素は、第１の宝飾品形成構成要素のメス要素のキャビティの内部寸法より小さい外部寸法の前方端部を有し、それにより、管状オス要素の前方端部が、メス要素キャビティ内に異なる位置関係で受け入れられて、宝飾品が装着者に対して自己サイズ調整するのを可能にし、要素間の磁場強度は、使用者の手の力がオス要素の前方端部をメス要素のキャビティから引き抜くのを可能にし、
各第１構成要素の別の要素は、
ａ）メス要素から離れる方向に延び且つ本体部材の反対側端部に配置された管状オス要素であり、オス要素は、第２のまたは別の宝飾品形成構成要素の本体部材の磁気的に応答する管状メス要素に磁気的に引き付けられる前方端部を有する、又は、
ｂ）管状本体部材の反対側端部に配置され、第２のまたは別の宝飾品形成構成要素のオス要素を異なる位置関係でその中に受け入れるのに十分な深さを有するキャビティを形成する内部寸法の管状端部を有する別の管状メス要素である、
かのいずれかであり、
各第２の宝飾品形成構成要素は、それぞれ、
ａ）本体部材の反対側端部に配置され、第１の又は別の宝飾品形成構成要素のオス要素を異なる位置関係でその中に受け入れるのに十分な深さを有するキャビティを形成する内部寸法の管状端部を有する管状メス要素である、又は、
ｂ）本体部材の反対側端部に配置された別の管状オス要素であり、オス要素は、第１のまたは別の宝飾品形成構成要素の本体部材の磁気的に応答する管状メス要素に磁気的に引きつけられる前方端部を有する、
かのいずれかである対応する別の要素を含む、
ことを特徴とする宝飾品。
【請求項６】
宝飾品を作製するための磁性宝飾品形成構成要素であって、
宝飾的形状で構成及び寸法調整され、少なくとも１つの他の磁性宝飾品形成構成要素と反発するよう磁気的に関連付けられた第１の着磁性部分を有する本体部材と、
磁気的に関連付けられるように第１の着磁性部分と同じ極性の磁化された部分を有する少なくとも１つの別の要素と、を含み、
本体部材は、本体部材と少なくとも１つの他の磁性宝飾品形成構成要素が互いに異なる位置に配置されるように人の手の力によって打ち勝つことのできる磁場強度を有し、
別の要素は、本体部材の第１の磁化された部分が、少なくとも１つの他の磁性宝飾品形成構成要素から磁気的に反発されるとき、少なくとも１つの他の磁性宝飾品形成構成要素から本体部材が完全に分離するのを防ぐ保持構造を含み、
本体部材は、外表面及び内表面を有し、
少なくとも１つの他の宝飾品構成要素は、本体部材と作動的に関係付けられた少なくとも１つの寸法調節部材を含み、
本体部材の第１の着磁性部分と寸法調節部材は、人の手の力によって打ち勝つことのできる最大磁場強度で磁気的に互いに反発し合い、本体部材と寸法調節部材との間の磁気的反発が、寸法調節部材を本体部材から沿革に位置づける第１の配置と、人の手の力が寸法調節部材を本体部材に向かって付勢する第２の配置とに構成要素を到達させることができ、その結果、宝飾品形成構成要素が人に適合するように調節することができるようにする、
ことを特徴とする磁性宝飾品形成構成要素。
【請求項７】
磁気的に連結された第１及び第２の反対の極性に磁化された宝飾品形成構成要素を含む連続ループを含む宝飾品であって、
第１及び第２の反対の極性に磁化された宝飾品形成構成要素は、各々、宝飾的形状で構成及び寸法調整され、少なくとも１つの他の磁性宝飾品形成構成要素の磁化された外表面と磁気的に引き付け合うように関連付けられた第１の着磁性部分を含む外表面を有する本体部材を含み、
各本体部材は、本体部材と少なくとも１つの他の磁性宝飾品形成構成要素が互いに異なる位置に配置されるように人の手の力によって打ち勝つことのできる磁場強度を有し、
第１の構成要素の着磁性部分は、磁気的に引きつけられるように、第２の構成要素の着磁性部分と異なる極性を有し、
各外表面は平坦部分を含み、本体部材はこれらの平坦部分の接触によって磁気的に結合される、
ことを特徴とする宝飾品。
【請求項８】
反対の極性に磁化された第１及び第２の宝飾品形成構成要素の磁気的結合によって形成された複数の連続ループを含む相互連結チェーンを含む宝飾品であって、
ループは、チェーンを形成するように相互連結され、
宝飾品形成構成要素は、各々、宝飾的形状で構成及び寸法調整され、少なくとも１つの他の磁性宝飾品形成構成要素と磁気的に引き付け合うように関連づけられた第１の着磁性部分を有する本体部材を含み、
各本体部材は、本体部材と少なくとも１つの他の磁性宝飾品形成構成要素が互いに異なる位置に配置されるように人の手の力によって打ち勝つことのできる磁場強度を有し、
第１の構成要素の着磁性部分は、磁気的に引きつけられるように第２の構成要素の着磁性部分と異なる極性を有する、
ことを特徴とする宝飾品。
【請求項９】
請求項６又は７に記載の複数の宝飾品形成構成要素を含み、リング、ブレスレット、アンクレット、チェーン、チョーカー、ネックレス、又は時計バンドの形態の宝飾品。
【請求項１０】
宝飾品を作製するための磁性宝飾品形成構成要素であって、
宝飾的形状で構成及び寸法調整され、少なくとも１つの他の磁性宝飾品形成構成要素と引きつけ合いまたは反発するよう磁気的に関連づけられた複数の離間した磁化された部分を有する本体部材を含み、
本体部材は、本体部材と少なくとも１つの他の磁性宝飾品形成構成要素が互いに異なる位置に配置されるように人の手の力によって打ち勝つことのできる磁場強度を有し、
複数の磁化された場所によって放出又は放射される磁界は、構成要素全体が磁化された場合に存在するであろう距離よりも短い距離において有効であり、その結果、宝飾品構成要素が、宝飾品構成要素を装着した人によって取り扱われる磁気に敏感な物品に対して有害な影響を与えず、
第１の構成要素及び第２の構成要素は、内表面及び外表面を有し、体面関係で磁気的に結合され、部材は、内面と内面で、または内面と外面で結合され、それにより、構成要素が、宝飾品に異なる外観を提供するように変化することができる、
ことを特徴とする磁性宝飾品形成構成要素。
【請求項１１】
少なくとも２つの宝飾品形成構成要素は、第１の位置において離間した関係で構成要素の保持を容易にする磁化部分を備え、その結果ユーザが少なくとも１つの構成要素を他の構成要素に対して移動させることができ、ユーザが移動された構成要素を解放するとき、第１の位置に自動的に戻る、請求項４又は９に記載の宝飾品。
【請求項１２】
宝飾品形成構成要素は、１つの軸線上に配置されて、一方の構成要素を他方の構成要素に対して回転移動することができるようにする、請求項１１に記載の宝飾品。